(57)【要約】  【課題】観察者が表示内容を見ながら表示装置を操作する場合、および観察者が表示装置を載置して表示内容を観察する場合のそれぞれに、適切な表示態様を得る。  【解決手段】画像表示装置は、加速度センサ１９からの検出信号に基づいた判定によって手持ち状態もしくは操作中であるとみなした場合、自動的にブックモードへ切替え、載置状態であるとみなした場合には自動的にフレームモード１に切替える。ブックモードでは、縦長画面としての液晶表示素子２０に再生画像を表示するとともに、余白領域２１に当該画像データに付随するExif情報を表示する。フレームモード１では、Exif情報の表示を省略し、横長画面としての液晶表示素子２０の画面いっぱいに、再生画像を大きくフルサイズで強調表示する。  【選択図】図１
2006227409.tif 000002
【特許請求の範囲】
【請求項１】
画像を表示する表示モニタと、
前記表示モニタに画像データによる再生画像を表示させる表示制御手段と、
表示装置の筐体が載置状態か否かを判定するとともに、その判定結果に応じて前記再生画像を表示する際の表示態様を変えるように前記表示制御手段へ指示する表示態様指示手段とを備えることを特徴とする表示装置。
【請求項２】
請求項１に記載の表示装置において、
前記表示モニタが配設される表示部および前記載置状態において載置面と接触するベース部を回動自在に支持するヒンジ部材と、
前記ヒンジ部材の回動によって変化する前記表示部および前記操作部間の相対角度を検出する角度検出手段とをさらに備え、
前記表示態様指示手段は、前記角度検出手段から出力される検出信号に基づいて前記載置状態を判定することを特徴とする表示装置。
【請求項３】
請求項１に記載の表示装置において、
表示装置の揺動を検出する揺動検出手段をさらに備え、
前記表示態様指示手段は、前記揺動検出手段から出力される検出信号に基づいて前記載置状態を判定することを特徴とする表示装置。
【請求項４】
請求項２または３に記載の表示装置において、
前記表示態様指示手段は、前記載置状態を判定した場合、前記載置状態を否定判定する場合に比べて、(1)表示輝度を高める、(2)前記再生画像を派手に表示するように階調特性の設定値を変更する、(3)前記再生画像をあざやかに表示するように彩度特性の設定値を変更する、(4)前記再生画像の輪郭強調特性を強める、(5)前記再生画像の表示の大きさを大きくする、の少なくとも１つを前記表示制御手段へ指示し、前記載置状態を否定判定した場合、前記画像データに付随する情報を前記再生画像とともに表示するように前記表示制御手段へ指示することを特徴とする表示装置。
【請求項５】
請求項４に記載の表示装置において、
測距手段をさらに備え、
前記表示態様指示手段は、前記測距手段によって算出された観察者との間の距離情報が所定距離以遠に対応する場合、(1)前記再生画像をさらに派手に表示するように階調特性の設定値を変更する、(2)前記再生画像をさらにあざやかに表示するように彩度特性の設定値を変更する、(3)前記再生画像の輪郭強調特性をさらに強める、の少なくとも１つを前記表示制御手段へ指示することを特徴とする表示装置。
【請求項６】
請求項５に記載の表示装置において、
前記測距手段は撮像手段を備え、
前記表示態様指示手段は、前記撮像手段による撮像信号を用いて演算される色温度情報に応じて色温度調整値を変更するように前記表示制御手段へ指示することを特徴とする表示装置。
【発明の詳細な説明】
【技術分野】
【０００１】
本発明は、手持ち状態および載置状態の双方で用いられる表示装置に関する。
【背景技術】
【０００２】
液晶パネルなどの表示部材が配設される表示部と、操作キーなどの操作部材が配設される操作部とがヒンジを介して折り畳み自在に構成されるハンドホールド可能な電子機器において、表示態様を切替えるための操作を行うことなく、表示態様を自動的に変更する技術が知られている（特許文献１参照）。特許文献１には、観察者の顔と表示部との距離に応じてイメージデータの表示サイズを変更する技術が開示されている。
【０００３】
【特許文献１】特開平１０−２６０６６６号公報
【発明の開示】
【発明が解決しようとする課題】
【０００４】
表示部と観察者との距離に応じて表示態様を切替える方式では、観察者の顔と電子機器の表示部との距離が同じである場合に、電子機器が観察者から手操作される状態と電子機器がテーブルなどに載置されている状態とを区別できず、それぞれの状態に適切な態様で表示させることができない。
【課題を解決するための手段】
【０００５】
本発明による表示装置は、画像を表示する表示モニタと、表示モニタに画像データによる再生画像を表示させる表示制御手段と、表示装置の筐体が載置状態か否かを判定するとともに、その判定結果に応じて再生画像を表示する際の表示態様を変えるように表示制御手段へ指示する表示態様指示手段とを備えることを特徴とする。
請求項１に記載の表示装置はさらに、表示モニタが配設される表示部および載置状態において載置面と接触するベース部を回動自在に支持するヒンジ部材と、ヒンジ部材の回動によって変化する表示部および操作部間の相対角度を検出する角度検出手段とを備えてもよく、この場合の表示態様指示手段は、角度検出手段から出力される検出信号に基づいて載置状態を判定することもできる。
請求項１に記載の表示装置はさらに、表示装置の揺動を検出する揺動検出手段を備えてもよく、この場合の表示態様指示手段は、揺動検出手段から出力される検出信号に基づいて載置状態を判定することもできる。
上記表示装置の表示態様指示手段は、載置状態を判定した場合、載置状態を否定判定する場合に比べて、(1)表示輝度を高める、(2)再生画像を派手に表示するように階調特性の設定値を変更する、(3)再生画像をあざやかに表示するように彩度特性の設定値を変更する、(4)再生画像の輪郭強調特性を強める、(5)再生画像の表示の大きさを大きくする、の少なくとも１つを表示制御手段へ指示し、載置状態を否定判定した場合、画像データに付随する情報を再生画像とともに表示するように表示制御手段へ指示することもできる。
請求項４に記載の表示装置はさらに、測距手段を備えてもよく、この場合の表示態様指示手段は、測距手段によって算出された観察者との間の距離情報が所定距離以遠に対応する場合、(1)再生画像をさらに派手に表示するように階調特性の設定値を変更する、(2)再生画像をさらにあざやかに表示するように彩度特性の設定値を変更する、(3)再生画像の輪郭強調特性をさらに強める、の少なくとも１つを表示制御手段へ指示することもできる。
請求項５に記載の表示装置の測距手段は撮像手段を備え、表示態様指示手段は、撮像手段による撮像信号を用いて演算される色温度情報に応じて色温度調整値を変更するように表示制御手段へ指示することもできる。
【発明の効果】
【０００６】
本発明による表示装置では、載置状態か否かの判定結果に応じて再生画像の表示態様を変えるようにしたので、たとえば、観察者が表示内容を見ながら表示装置を操作する場合と、表示装置を載置して表示内容を観察する場合とのそれぞれに適切な態様で表示することができる。
【発明を実施するための最良の形態】
【０００７】
以下、図面を参照して本発明を実施するための最良の形態について説明する。
（第一の実施形態）
図１は、本発明の第一の実施形態による画像表示装置を説明する三面図である。図１において、画像表示装置は、液晶表示素子２０を有する表示部１１と、操作キー１５およびスタイラス入力部材１６を有する操作部（ベース部）１２とがヒンジ１３によって一体化される。ヒンジ１３は、回動軸Ｏを中心軸として回動自在に構成され、表示部１１および操作部１２間の相対角を任意の角度で支持する。操作部（ベース部）１２の重量は、表示部１１の重量より重いように構成されていることが望ましい。
【０００８】
画像表示装置の使用形態について説明する。
（ブックモード）
図１の画像表示装置は、ブックモードにおける使用形態を例示したものである。ブックモードにおける画像表示装置は、たとえば、表示部１１の液晶表示素子２０側の面（以下表示面と呼ぶ）１１ａと、操作部１２の操作キー１５やスタイラス入力部材１６側の面（以下操作面と呼ぶ）１２ａとが使用者（とくに目）の方向を向くように、ヒンジ１３が折り畳み状態（開閉角０とする）から約１８０度開かれた状態で、使用者によって手持ちされる。
【０００９】
使用者は、表示部１１の液晶表示素子２０に表示される画像や当該画像に関する情報を見ながら、操作キー１５を押下操作したり、スタイラスペン１７を用いてスタイラス入力部材１６へ書き込み入力したりする。液晶表示素子２０に表示させる画像は、操作キー１５やスタイラス入力部材１６からの操作信号によって画像表示装置に指示される。
【００１０】
ブックモードでは、液晶表示素子２０が縦長画面として観察される。画像表示装置は、縦長画面としての液晶表示素子２０に通常の横長画像を再生表示させる。この場合、再生表示画像の長辺（水平方向）を液晶表示素子２０の短辺に対応させて表示し、再生表示画像の短辺方向（垂直方向）の余白領域（図１において符号２１）に、当該再生画像データに付加されている情報（Exif情報）をテキスト表示する。図１の例では、Exif情報として、画像データファイル名「DSCNxxx1.JPG」、撮影日「2004/8/5」、撮影時刻「10:45」、撮影条件としてのシャッタースピード、絞り値「1/250 F2.8」が、再生画像の下部領域２１に表示されている。Exif情報として表示する項目は、操作キー１５からの操作によって適宜変更可能に構成されている。
【００１１】
スタイラスペン１７によってスタイラス入力部材１６から書き込み入力された情報「04年 ヨーロッパ旅行」は、Exif情報とともに画像データファイル内に記録可能に構成されている。したがって、画像データファイル内に付加記録された書き込み入力情報は、次回の再生表示時に他のExif情報とともに自動的に領域２１内に表示させることができる。
【００１２】
（フレームモード１）
図２は、画像表示装置のフレームモード１における使用形態を例示する図である。ヒンジ１３が折り畳み状態から約２９０度開かれ、操作部１２の操作面１２ａを下側にして、机上などの平面に載置されている。表示部１１と操作部１２との挟角は約７０度である。使用者は、表示部１１の液晶表示素子２０に表示される画像を鑑賞する。
【００１３】
液晶表示素子２０に表示される画像は、たとえば、後述するメモリカード１８（図４）に記憶されている複数の画像ファイルに対応する画像データによる再生画像であり、これらを順次スライドショー表示したものである。また、複数の再生画像を順次スライドショー表示する代わりに、メモリカード１８に記憶されている所定の画像（たとえば、操作キー１５からの操作信号によってあらかじめ指定されている画像）を再生表示するように構成してもよい。
【００１４】
画像表示装置は、横長画面としての液晶表示素子２０に通常の横長画像を再生表示させる。この場合、再生表示画像の長辺（水平方向）を液晶表示素子２０の長辺に対応させて表示する。Exif情報のテキスト表示を省略し、再生表示画像の表示サイズをブックモードにおいて液晶表示素子２０に表示される再生表示画像の表示サイズより大きくする。
【００１５】
（フレームモード２）
図３は、画像表示装置のフレームモード２（フォトフレーム）における使用形態を例示する図である。ヒンジ１３が折り畳み状態から約８０度開かれ、操作部１２の裏面１２ｂを下側にして、机上などの平面に載置されている。表示部１１と操作部１２との挟角は約８０度である。表示部１１の裏面１１ｂには着脱可能な透明カバー２２が設けられており、表示部１１および透明カバー２２間に写真プリント２３が狭持される。使用者は、狭持されている写真プリントを鑑賞する。狭持されている写真プリントは、開閉角０度の折り畳み状態でも鑑賞可能であり、外観の装飾部としての機能も有する。
【００１６】
図４は、画像表示装置の構成を説明するブロック図である。図４において、表示部１１側には液晶表示素子２０と、液晶駆動回路２０ｃと、バックライト２０ａと、バックライト駆動回路２０ｂとが含まれる。液晶駆動回路２０ｃは、後述する制御回路３１から出力される表示データに応じて液晶パネル駆動信号を生成し、生成した駆動信号で液晶表示素子２０を駆動する。具体的には、液晶表示素子２０の液晶層（不図示）に対して表示データに応じた電圧を画素ごとに印加する。電圧が印加された液晶層は液晶分子の配列が変わり、当該液晶層の光の透過率が変化する。
【００１７】
バックライト駆動回路２０ｂは、制御回路３１から出力される点灯指示に応じてバックライト２０ａを指示された輝度で点灯させる。点灯したバックライト２０ａは、液晶表示素子２０を照明する。バックライト２０ａによる照明光が液晶表示素子２０の液晶層を透過して変調されることにより、表示データによる再生像が表示される。
【００１８】
操作部１２側には、制御回路３１と、加速度センサ１９と、スタイラス入力部材１６と、操作キー１５と、バッテリ１４ａを有する電源１４と、カメラ２５とが含まれ、挿抜可能に構成されるメモリカード１８が装着されている。制御回路３１は、制御プログラムに基づいて、画像表示装置を構成する各部から入力される信号を用いて所定の演算を行うなどして、画像表示装置の各部に対する制御信号を送出することにより、カメラ動作、画像表示動作をそれぞれ制御する。なお、制御プログラムは制御回路３１内の不図示の不揮発性メモリに格納されている。
【００１９】
時計回路３１ａは制御回路３１に内蔵されており、クロック信号（不図示）を分周して時刻情報を生成する。加速度センサ１９は画像表示装置の揺動を検出し、検出信号を制御回路３１へ出力する。制御回路３１は、検出信号に変化があれば揺動状態にあると判断し、検出信号に変化がなければ載置状態にあると判断する。
【００２０】
スタイラス入力部材１６は、使用者による入力操作に応じた入力信号を制御回路３１へ出力する。操作キー１５は、使用者による操作に応じた操作信号を制御回路３１へ出力する。メモリカード１８はフラッシュメモリなどの不揮発性メモリによって構成され、制御回路３１の指令によりデータの書き込み、保存および読み出しが可能である。電源１４は、ＤＣ／ＤＣ変換回路などで構成され、バッテリ１４ａの電圧を画像表示装置内の各部で必要な直流電圧に変換し、変換後の電圧を各ブロックへ供給する。
【００２１】
カメラ２５はイメージセンサおよびイメージセンサ上に被写体像を結像する撮影レンズを含む。カメラ２５は、制御回路３１の撮影指示によって被写体像を撮像し、画像データに所定の信号処理を施した上で当該画像データを制御回路３１へ送出する。イメージセンサとしては、ＣＣＤやＣＭＯＳ撮像素子などが用いられる。カメラ２５は、フレームモード１の使用形態において、表示部１１の表示面１１ａと対向する主要被写体を撮影するように構成されている。
【００２２】
ヒンジ１３には開閉角度検出センサ１３ａおよびねじれ角度検出センサ１３ｂが内蔵されている。開閉角度検出センサ１３ａは、回動軸Ｏを中心に回動したヒンジ１３の開閉角の大きさに応じた検出信号を制御回路３１へ出力する。ねじれ角度検出センサ１３ｂについては後述する。
【００２３】
以上の画像表示装置において、表示部１１の液晶表示素子２０にメモリカード１８に記録されている画像データによる再生画像を表示させるには、制御回路３１がメモリカード１８から画像データを読み出し、読み出した画像データを用いて液晶表示素子２０の表示画素数に応じた表示データを生成し、生成した表示データを液晶駆動回路２０ｃへ送出するとともに、バックライト駆動回路２０ｂへ点灯指示を送る。
【００２４】
制御回路３１で行われるモード切替え処理について、図５に示すフローチャートを参照して説明する。制御回路３１は、画像表示装置の電源スイッチ（不図示）がオンされている状態において、図５による処理を繰り返す。なお、フレームモード２は、電源スイッチ（不図示）がオフされている状態において使用される。
【００２５】
図５のステップＳ１において、制御回路３１は、加速度センサ１９からの検出信号が所定時間（たとえば、５分間）継続して変化しないか否かを判定する。制御回路３１は、入力信号に変化がなかった場合にステップＳ１を肯定判定してステップＳ３へ進み、入力信号に変化があった場合にはステップＳ１を否定判定し、ステップＳ２へ進む。ステップＳ２へ進む場合は画像表示装置が手持ち状態もしくは使用者による操作中とみなす場合であり、ステップＳ３へ進む場合は画像表示装置が載置状態とみなす場合である。
【００２６】
ステップＳ２において、制御回路３１は、ブックモードへの切替えを行ってステップＳ１へ戻る。ブックモードへの切替え処理では、液晶表示素子２０の表示態様として下記ａ１〜ｆ１の内容が液晶駆動回路２０ｃおよびバックライト駆動回路２０ｂに指示される。階調特性、彩度特性、および輪郭強調特性の変更に必要な画像処理は、制御回路３１によって行われる。
ａ１．縦長画面としての液晶表示素子２０に通常の横長画像を再生表示させる。
ｂ１．再生表示画像の短辺方向の余白領域２１（図１）に、当該再生画像データに付加されているExif情報をテキスト表示する。
ｃ１．表示輝度（明るさ）を標準設定値にする。
ｄ１．階調特性（コントラストおよびγ特性を含む）を標準設定値にする。
ｅ１．彩度特性を標準設定値にする。
ｆ１．輪郭強調特性を標準設定値にする。
【００２７】
ステップＳ３において、制御回路３１は、フレームモード１への切替えを行ってステップＳ４へ進む。フレームモード１への切替え処理では、液晶表示素子２０の表示態様として以下の内容が液晶駆動回路２０ｃおよびバックライト駆動回路２０ｂに指示される。
ａ２．横長画面としての液晶表示素子２０に通常の横長画像を再生表示させる。
ｂ２．Exif情報の表示を省略する。
ｃ２．表示輝度（明るさ）を標準設定値より高める（明るくする）。
ｄ２．階調特性の設定値を、画像を派手に表示するように標準設定値から変更する。
ｅ２．彩度特性の設定値を、画像をあざやかに表示するように標準設定値から変更する。
ｆ２．輪郭強調特性を標準設定値より強くする。
【００２８】
ステップＳ４において、制御回路３１は、カメラ２５によって得られるＡＦ（オートフォーカス）情報が所定距離より遠方に対応するか否かを判定する。制御回路３１は、カメラ２５から送信された画像データを用いて周知のＡＦ演算処理（たとえば、山登りＡＦ）を行うことにより、最至近の被写体までの距離を算出する。即ち、カメラ２５、制御回路３１は測距手段（回路）として機能する。測距手段によって算出された情報に対応する距離が、たとえば、１ｍより遠い場合にステップＳ４を肯定判定してステップＳ５へ進む。制御回路３１は、算出した距離が１ｍ以下の場合にはステップＳ４を否定判定し、ステップＳ１へ戻る。なお、上記の測距手段は、三角測量の原理を用いた測距手段、レーザ、音波等を用いた測距手段、もしくは位相差方式の測距手段であってもよい。
【００２９】
ステップＳ５において、制御回路３１は、液晶駆動回路２０ｃへさらに強調を指示してステップＳ１へ戻る。さらなる強調の指示が既に行われている場合には、当該強調を維持してステップＳ１に戻ればよい。さらなる強調指示では、液晶表示素子２０の表示態様として以下の内容が液晶駆動回路２０ｃに指示される。
ｄ３．階調特性を通常のフレームモード１における設定値よりもさらに派手にする。
ｅ３．彩度特性を通常のフレームモード１における設定値よりもさらにあざやかにする。
ｆ３．輪郭強調特性を通常のフレームモード１における設定値よりもさらに強くする。
【００３０】
以上説明した第一の実施形態によれば、次の作用効果が得られる。
（１）加速度センサ１９からの検出信号に基づいた判定によって画像表示装置が手持ち状態もしくは操作中であるとみなした場合、自動的にブックモードへ切替え（ステップＳ２）、画像表示装置が載置状態であるとみなした場合には自動的にフレームモード１に切替える（ステップＳ３）ようにしたので、使用者による切替え操作を不要にできる。
【００３１】
（２）ブックモードでは、縦長画面としての液晶表示素子２０に再生画像を表示するとともに、余白領域２１に当該画像データに付随するExif情報を表示するようにしたので、使用者は、撮影日や撮影条件などの確認が容易に行える上に、スタイラス入力部材１６を用いてExif情報に情報を付加することも容易である。
【００３２】
（３）ブックモードでは、液晶表示素子２０の表示特性について上記ｃ１〜ｆ１の内容にしたので、メモリカード１８に記憶されている画像データによる再生画像が、表示特性を変えないでそのまま表示される。これにより使用者は、画像データが有する細かいグラデーションや解像感を観察できる。
【００３３】
（４）フレームモード１では、画像データに付随するExif情報の表示を省略し、横長画面としての液晶表示素子２０の画面いっぱいに再生画像を大きくフルサイズ表示したので、使用者は、画像表示装置から離れた位置から表示画像を観察できる。
【００３４】
（５）フレームモード１では、液晶表示素子２０の画像表示についてのパラメータを変更し、表示特性について上記ｃ２〜ｆ２の内容にしたので、メモリカード１８に記憶されている画像データによる再生画像が、表示特性を変えて強調表示される。これにより使用者は、離れた位置からでも再生画像を鑑賞できる。なお、強調する内容は、上記ｃ２〜ｆ２のうち少なくとも１つでもよい。
【００３５】
（６）フレームモード１において、最至近の被写体までの距離を算出し、算出した距離が１ｍより遠い場合には再生画像の画像表示についてのパラメータを変更し、表示特性をさらに強調するようにしたので、使用者は、より離れた位置からでも再生画像を鑑賞できる。なお、強調する内容は、上記ｄ３〜ｆ３のうち少なくとも１つでもよい。
【００３６】
（第二の実施形態）
第二の実施形態では、制御回路３１が開閉角度検出センサ１３ｃからの検出信号に基づいて、ブックモード、フレームモード１およびフレームモード２への切替えを行う。なお、第一の実施形態と重複する部分については説明を省略する。制御回路３１で行われるモード切替え処理について、図６に示すフローチャートを参照して説明する。制御回路３１は、画像表示装置にバッテリ１４ａが装填されると図６による処理を繰り返す。
【００３７】
図６のステップＳ１１において、制御回路３１は、ヒンジ１３の開閉角が０〜９０度の範囲内か否かを判定する。制御回路３１は、開閉角度検出センサ１３ｃからの検出信号が開閉角０〜９０度の範囲に対応する場合にステップＳ１１を肯定判定してステップＳ１４へ進み、開閉角度検出センサ１３ｃからの検出信号が開閉角９０度を超える場合にはステップＳ１１を否定判定し、ステップＳ１２へ進む。
【００３８】
ステップＳ１２において、制御回路３１は、ヒンジ１３の開閉角が９１〜２７０度の範囲内か否かを判定する。制御回路３１は、開閉角度検出センサ１３ｃからの検出信号が開閉角９１〜２７０度の範囲に対応する場合にステップＳ１２を肯定判定してステップＳ１５へ進み、開閉角度検出センサ１３ｃからの検出信号が開閉角２７０度を超える場合にはステップＳ１２を否定判定し、ステップＳ１３へ進む。ステップＳ１５へ進む場合は画像表示装置が手持ち状態もしくは使用者による操作中とみなす場合である。
【００３９】
ステップＳ１３において、制御回路３１は、ヒンジ１３の開閉角が２７１〜３６０度の範囲内であると判断する。ステップＳ１６へ進む場合は、画像表示装置が載置状態とみなす場合である。
【００４０】
ステップＳ１４において、制御回路３１は、フレームモード２（フォトフレーム）への切替えを行ってステップＳ１１へ戻る。フレームモード２への切替え処理では、液晶駆動回路２０ｃへ液晶表示素子２０の表示オフを指示し、バックライト駆動回路２０ｂへバックライト２０ａの消灯を指示し、カメラ２５に対する撮影停止を指示するとともに、表示部１１内の各ブロックに対する電力供給をオフするように電源１４へ指示する。なお、既にフレームモード２に切替えられている場合は、フレームモード２を維持してステップＳ１１へ戻る。
【００４１】
ステップＳ１５において、制御回路３１は、ブックモードへの切替えを行ってステップＳ１１へ戻る。ブックモードへの切替え処理では、カメラ２５に対する撮影停止を指示し、カメラ２５に対する電力供給をオフ、カメラ２５を除く表示部１１内の各ブロックに対する電力供給をオンするように電源１４へ指示し、図１に示されるような液晶表示素子２０の表示態様として上記ａ１〜ｆ１の内容を液晶駆動回路２０ｃおよびバックライト駆動回路２０ｂに指示する。階調特性、彩度特性、および輪郭強調特性の変更に必要な画像処理は、制御回路３１によって行われる。なお、既にブックモードに切替えられている場合には、ブックモードを維持してステップＳ１１へ戻る。
【００４２】
ステップＳ１６において、制御回路３１は、フレームモード１への切替えを行ってステップＳ１７へ進む。フレームモード１への切替え処理では、表示部１１内の各ブロックに対する電力供給をオンするように電源１４へ指示し、カメラ２５に対する撮影開始を指示し、図２に示されるような液晶表示素子２０の表示態様として上記ａ２〜ｆ２の内容を液晶駆動回路２０ｃおよびバックライト駆動回路２０ｂに指示する。なお、既にフレームモード１に切替えられている場合には、フレームモード１を維持してステップＳ１７へ進む。
【００４３】
ステップＳ１７は、ステップＳ４による処理と同様なので説明を省略する。ステップＳ１８は、ステップＳ５による処理と同様なので説明を省略する。
【００４４】
以上説明した第二の実施形態によれば、次の作用効果が得られる。
（１）開閉角度検出センサ１３ｃからの検出信号に基づいた判定によって画像表示装置が手持ち状態もしくは操作中であるとみなした場合、自動的にブックモードへ切替え（ステップＳ１５）、画像表示装置が載置状態であるとみなした場合は自動的にフレームモード１に切替え（ステップＳ１６）、画像表示装置がフォトフレームの状態であるとみなした場合には自動的にフレームモード２に切替える（ステップＳ１４）ようにしたので、使用者による切替え操作を不要にできる。
【００４５】
（２）ブックモードでは、第一の実施形態と同様に、撮影日や撮影条件などの確認、Exif情報への情報付加が容易である。また、画像データが有する細かいグラデーションや解像感を観察できる。
【００４６】
（３）フレームモード１では、第一の実施形態と同様に、画像表示装置から離れた位置からでも表示画像を鑑賞できる。
【００４７】
（４）フレームモード２では、液晶表示をオフ、バックライト２０ａを消灯、カメラ２５の撮影を停止させるとともに、表示部１１内の各ブロックへ供給する電力をオフさせるので、消費電力を低減することができる。
【００４８】
ヒンジ１３を回動軸Ｏと直交する軸Ｒ（図２）の回りにも回転可能なフリーアングルヒンジとして構成してもよい。この場合には、ねじれ角度検出センサ１３ｂが、回動軸Ｒを中心に回動する表示部１１の回動角の大きさに応じた検出信号を制御回路３１へ出力する。制御回路３１は、図２の状態（フレームモード１）から表示部１１が回動され、回動角が略１８０度（たとえば、１５０度〜２１０度）になると、フレームモード１からフレームモード２へ切り替える。
【００４９】
反対に、制御回路３１は、図３の状態（フレームモード２）から表示部１１が回動され、回動角が略１８０度（たとえば、１５０度〜２１０度）になると、フレームモード２からフレームモード１へ切り替える。このような構成とすれば、操作キー１５やスタイラス入力部材１６を載置面に接触させることなく載置することができる。スタイラス入力部材１６がない場合、操作キー１５は、たとえば表示部１１の側面に設けられていてもよい。即ち、ベース部１２には、必ずしも操作部材を備えている必要はなく、フレームモード１、フレームモード２の載置状態において、表示部１１を支持する支持機能を有していればよい。
【００５０】
フレームモード１において表示輝度（明るさ）を標準設定値より高める上記ｃ２の構成は、バッテリ１４ａの残量に応じて行うようにしてもよい。バッテリ１４ａの残量が低下した場合には表示輝度を明るくしないことにより、バックライト２０ａで消費される電力を抑えることができる。
【００５１】
液晶表示素子２０の表示特性について、フレームモード１においてホワイトバランス調整値を変更してもよい。この場合の制御回路３１は、カメラ２５から送信された画像データから得られる色温度情報が所定色温度より高いか否かを判定する。たとえば、所定色温度以下（画像表示装置が載置されている室内照明光の赤色比率が所定比率より高い）の場合、赤色表示輝度を青色および緑色表示輝度に比べて抑えるようにホワイトバランス調整値（色温度調整値）を変更する。所定色温度より高い場合には、ホワイトバランス調整値を標準設定値とする。これにより、画像表示装置が載置されている部屋の照明光の色温度の影響を抑えて再生画像を鑑賞することができる。
【００５２】
以上の説明では、液晶表示素子として透過型の液晶パネルを例示したが、透過型液晶パネルの代わりに反射型液晶や半透過型液晶を用いて構成してもよい。また、有機ＥＬ素子などの他のタイプのディスプレイデバイスを用いて構成することもできる。
【００５３】
第一の実施形態、第二の実施形態では、各々加速度センサ１９、開閉角度検出センサ１３ａ等を用いて載置状態か否かを判定する例について説明したが、両者を併用する構成としても構わない。例えば、ステップＳ１２からステップＳ１５への移行過程でステップＳ１の判断を行い、肯定された場合にはステップＳ１６に移行し、否定された場合にはステップＳ１５に移行する。さらには、ステップＳ１３からステップＳ１６への移行過程でステップＳ１の判断を行い、肯定された場合にはステップＳ１６に移行し、否定された場合にはステップＳ１５に移行する。このような構成とすれば、載置状態の判定の精度をさらに向上させることができる。また、操作キー１５あるいはスタイラス入力部材１６による入力操作が行われてから所定の期間を、手持ち状態もしくは使用者による操作中とみなす構成としてもよい。
【００５４】
特許請求の範囲における各構成要素と、発明を実施するための最良の形態における各構成要素との対応について説明する。表示モニタは、たとえば、液晶表示素子２０およびバックライト２０ａによって構成される。表示制御手段は、たとえば、液晶駆動回路２０ｃ、バックライト駆動回路２０ｂおよび制御回路３１によって構成される。表示態様指示手段は、たとえば、制御回路３１によって構成される。角度検出手段は、たとえば、開閉角度検出センサ１３ａ（ねじれ角度検出センサ１３ｂ）によって構成される。揺動検出手段は、たとえば、加速度センサ１９によって構成される。測距手段、撮像手段は、たとえば、カメラ２５によって構成される。なお、以上の説明はあくまで一例であり、発明を解釈する上で、上記の実施形態の構成要素と本発明の構成要素との対応関係に何ら限定されるものではない。なお、特許請求の範囲における表示態様とは、表示モニタに電源を供給しない状態、観察者にとって意味のある情報が表示されていない非表示の状態を含むものではない。
【図面の簡単な説明】
【００５５】
【図１】本発明の第一の実施形態による画像表示装置を説明する三面図である。
【図２】画像表示装置のフレームモード１における使用形態を例示する図である。
【図３】画像表示装置のフレームモード２における使用形態を例示する図である。
【図４】画像表示装置の構成を説明するブロック図である。
【図５】モード切替え処理を説明するフローチャートである。
【図６】第二の実施形態によるモード切替え処理を説明するフローチャートである。
【符号の説明】
【００５６】
１１…表示部
１１ａ…表示面
１１ｂ…裏面
１２…操作部（ベース部）
１２ａ…操作面
１２ｂ…裏面
１３…ヒンジ
１３ａ…開閉角度検出センサ
１３ｂ…ねじれ角度検出センサ
１４…電源
１４ａ…バッテリ
１５…操作キー
１６…スタイラス入力部材
１８…メモリカード
１９…加速度センサ
２０…液晶表示素子
２０ａ…バックライト
２０ｂ…バックライト駆動回路
２０ｃ…液晶駆動回路
２１…余白領域
２５…カメラ
３１…制御回路
Ｏ，Ｒ…回動軸
【図１】
2006227409.tif 000003
【図２】
2006227409.tif 000004
【図３】
2006227409.tif 000005
【図４】
2006227409.tif 000006
【図５】
2006227409.tif 000007
【図６】
2006227409.tif 000008